(57)【要約】第１湾曲バンド部と第２湾曲バンド部とを備える装置。第１湾曲バンド部は、第１端部と、第２端部と、内部湾曲側面と、外部湾曲側面とを有する。第１湾曲バンド部は、第１湾曲バンド部の第１端部と第２端部の間の通路を画定する。通路は、第１開口を有する。第２湾曲バンド部は、第１端部と、第２端部と、内部湾曲側面と、外部湾曲側面とを有する。運動制約部は、第２湾曲バンド部の第１端部に隣接する。第２湾曲バンド部の第１端部は、第１湾曲バンド部の通路の第１開口に挿入可能である。第１湾曲バンド部は、第２湾曲バンド部の通路内に運動領域を有する。
2004520886.tif 000002
【特許請求の範囲】
【請求項１】
第１端部と、第２端部と、内部湾曲側面と、外部湾曲側面とを有する第１湾曲バンド部であって、前記第１湾曲バンド部の第１端部と第２端部の間に、第１開口を有する通路を画定する、第１湾曲バンド部と、
第１端部と、第２端部と、内部湾曲側面と、外部湾曲側面とを有する第２湾曲バンド部であって、運動制約部が、前記第２湾曲バンド部の第１端部に隣接し、前記第２湾曲バンド部の第１端部が、前記第１湾曲バンド部の通路の第１開口に挿入可能であり、前記第１湾曲バンド部が、前記第２湾曲バンド部の通路内に運動領域を有する、第２湾曲バンド部とを備える装置。
【請求項２】
通路の第１開口が、前記第１湾曲バンド部の第１端部に隣接し、
前記第２湾曲バンド部の第１端部が、前記第１湾曲バンド部の通路の第１開口に挿入された後、前記第２湾曲部分の通路内の運動領域が、運動制約部が通路の第１開口に隣接して配置される位置を含む、請求項１に記載の装置。
【請求項３】
前記第２湾曲バンド部の運動制約部が、前記第１湾曲バンド部の通路の第１開口と取外し式に係合可能であり、それにより、前記第２湾曲バンド部の第１端部が、前記第１湾曲バンド部の通路の第１開口に取外し式に挿入可能である、請求項２に記載の装置。
【請求項４】
前記第１湾曲バンド部の通路が、第２開口を含み、
前記第２湾曲バンド部が、前記第１湾曲バンド部の通路内に摩擦ばめとなり、それにより、前記第２湾曲バンド部が、前記第１湾曲バンド部の通路の第２開口との部分的な係合を有する、請求項１に記載の装置。
【請求項５】
前記第１湾曲バンド部の通路が、第２開口を含み、
前記第１湾曲部分の通路内の運動領域が、運動制約部が前記第１湾曲バンド部の通路の第２開口と取外し式に係合する位置を含む、請求項１に記載の装置。
【請求項６】
前記第２湾曲バンド部の運動制約部が、前記第２湾曲バンド部の外部湾曲側面の上に配置され、
前記通路の第２開口が、前記第１湾曲バンド部の外部湾曲側面の上に配置される、請求項５に記載の装置。
【請求項７】
前記第２湾曲バンド部の運動制約部が、前記第２湾曲バンド部の内部湾曲側面の上に配置され、
前記通路の第２開口が、前記第１湾曲バンド部の内部湾曲側面の上に配置される、請求項５に記載の装置。
【請求項８】
前記第１湾曲バンド部が、前記第１湾曲バンド部の内部湾曲側面と外部湾曲側面の間に側面部分を含み、
前記第２湾曲バンド部が、前記第２湾曲バンド部の内部湾曲側面と外部湾曲側面の間に側面部分を含み、
前記第２湾曲バンド部の運動制約部が、前記第２湾曲バンド部の側面部分の上に配置され、
前記通路の第２開口が、前記第１湾曲バンド部の側面部分の上に配置される、請求項５に記載の装置。
【請求項９】
前記第１湾曲バンド部の通路が、前記第１湾曲バンド部の内部湾曲側面に沿った複数の開口を含み、
前記第１湾曲バンド部の外部湾曲側面が、弾性を有し、それにより、前記第１湾曲バンド部が、内向きおよび外向きに屈曲するように構成される、請求項１に記載の装置。
【請求項１０】
開口を有する通路を画定する第１バンド部と、
前記第１バンド部の通路の開口に挿入可能な第２バンド部と、
前記第１湾曲バンド部の第１端部に結合された第１イヤ・カップと、
前記第２湾曲バンド部の第２端部に結合された第２イヤ・カップと、
外側面と内部側面とを有するシェルであって、前記シェルの外側面と内側面が、前記シェルの内側面に隣接する開口を有する内部を画定し、前記第１イヤ・カップと前記第１湾曲バンド部が、開口を通して前記シェルの内部の中に取外し式に挿入可能であり、前記第２イヤ・カップと前記第２湾曲バンド部が、開口を通して前記シェルの内部の中に取外し式に挿入可能であるシェルとを備えるイヤ・ウォーマ・フレーム。
【請求項１１】
イヤ・ウォーマ用の調節可能バンドであって、
ベース部材と、第１側面部材と、第２側面部材と、上方部材とを有する第１バンド部であって、第１側面部材と第２側面部材が、前記ベース部材に結合され、前記上方部材が、前記第１側面部材と前記第２側面部材の少なくとも一方に結合され、開口を有するチャンネルを画定する第１バンド部と、
前記第１バンド部の端部に隣接して取り付けられた第１イヤ・カップと、
第１端部と第２端部とを有する第２バンド部であって、運動制約部が、前記第２バンド部の第１端部に隣接し、前記第２バンド部の第１端部が、前記第１バンド部のチャンネルに挿入可能である第２バンド部と、
前記第２バンド部の第２端部に隣接して取り付けられた第２イヤ・カップとを備える、調節可能バンド。
【請求項１２】
前記第２バンド部の運動制約部が、移動止めであり、
前記第２バンド部が、前記第１バンド部のチャンネルに挿入されるとき、移動止めが、前記第１バンド部のチャンネルの開口内に配置されるように構成される、請求項１１に記載の調節可能バンド。
【請求項１３】
前記第１バンド部のチャンネルの開口が、前記第１バンド部のベース部材、第１側面部材、第２側面部材、上方部材のうちの１つの位置に配置され、
運動制約部が、前記第１バンド部のチャンネルの開口の位置に対応する前記第２バンド部の位置に配置される、請求項１１に記載の調節可能バンド。
【請求項１４】
前記上方部材が、第１側面部材および第２側面に結合され、
前記上方部材が、前記第１バンド部の第１端部と第２端部の間に非連続的な構造を有し、
ベース部材が、前記第１バンド部の第１端部と第２端部の間に非連続的な構造を有する、請求項１１に記載の調節可能バンド。
【請求項１５】
上方部材が、少なくとも第１上方部材部と第２上方部材部とを含み、第１上方部材部が、第１側面部材に結合され、第２上方部材部が、第２側面部材に結合され、
ベース部材が、前記第１バンド部の第１端部と第２端部の間に連続的な構造を有する、請求項１１に記載の調節可能バンド。
【請求項１６】
前記第１バンド部のチャンネルが、前記開口を含めて複数の開口を含み、前記複数の開口が、前記第１バンド部のベース部材と、第１側面部材と、第２側面部材と、上方部材との少なくとも１つの上に配置される、請求項１１に記載の調節可能バンド。
【請求項１７】
前記第１バンド部が湾曲し、かつ第１端部および第２端部を有し、
前記第２バンド部が湾曲し、
チャンネルが、前記第１バンド部の第１端部と前記第１バンド部の第２端部の間で湾曲し、かつ細長い、請求項１１に記載の調節可能バンド。
【請求項１８】
第１湾曲バンド部と、第２湾曲バンド部と、シェルとを有するイヤ・ウォーマを再構成する方法であって、
前記第１湾曲バンド部によって画定された通路の開口から、前記第２湾曲バンド部の運動制約部を外す工程であって、前記運動制約部が、前記第２バンド部の第１端部に隣接する、工程と、
前記第２湾曲バンド部を、前記第１湾曲バンド部の通路を通して移動させる工程と、を備える方法。
【請求項１９】
前記第１湾曲バンド部の通路から前記第２湾曲バンド部を取り外す工程であって、前記通路が、前記第１湾曲バンド部の第１端部と第２端部の間にある、工程と、
前記シェルの第１開口を通して、前記シェルの内部から前記第１湾曲バンドを取り外す工程と、
前記シェルの第２開口を通して、前記シェルの内部から前記第２湾曲バンドを取り外す工程と、を備える、請求項１８に記載の方法。
【請求項２０】
前記シェルの第１開口が、前記シェルの第２開口に対応する、請求項１９に記載の方法。
【請求項２１】
第１湾曲バンド部と、第２湾曲バンド部と、シェルとを有するイヤ・ウォーマを組み立てる方法であって、
前記シェルの第１開口を通して、前記シェルの内部の中に前記第１湾曲バンド部を挿入する工程と、
第２シェルの第２開口を通して、前記シェルの内部の中に前記第２湾曲バンド部を挿入する工程と、
前記第１湾曲バンド部の通路の中に前記第２湾曲バンド部を挿入する工程と、
前記第１湾曲バンド部の通路の開口に、前記第２湾曲バンド部の運動制約部を係合させる工程と、を備える方法。
【請求項２２】
前記シェルの第１開口が、前記シェルの第２開口に対応する、請求項２１に記載の方法。
【請求項２３】
第１ロック突出端部と第２ロック突出端部とを有するバンドと、
調節可能バンドの第１ロック突出端部が近位端部に接続される、第１イヤ・カップと、
調節可能バンドの第２ロック突出端部が近位端部に接続される、第２イヤ・カップとを備える装置。
【請求項２４】
前記バンドの第１ロック突出端部が、有刺部分を含み、
前記バンドの第２ロック突出端部が、有刺部分を含む、請求項２３に記載の装置。
【請求項２５】
前記バンドの第１ロック突出端部が、有刺部分を含み、
前記バンドの第２ロック突出端部が、有刺部分を含み、
前記バンドが、調節可能であり、
前記第１イヤ・カップと前記第２イヤ・カップが、ほぼ剛性の材料から構築され、その中に、前記調節可能バンドの第１有刺端部と、前記調節可能バンドの第２有刺端部を固定するように挿入することができる、請求項２３に記載の装置。
【請求項２６】
前記バンドの第１ロック突出端部が、ボール部分を含み、
前記バンドの第２ロック突出端部が、ボール部分を含み、
前記第１イヤ・カップの近位端部が、前記バンドの第１ロック突出端部のボール部分を補完するように構成された接合部分を含み、
前記第２イヤ・カップの近位端部が、前記バンドの第２ロック突出端部のボール部分を補完するように構成された接合部分を含む、請求項２３に記載の装置。
【請求項２７】
第１端部と第２端部を有し、前記第１端部と前記第２端部が、それ自体の旋回可能接続部分を含む、バンドと、
内側面と外側面を有する第１イヤ・カップであって、前記第１イヤ・カップの外側面上のほぼ中央位置に配置された旋回可能接続部分を含み、前記旋回可能接続部分が、前記バンドの第１端部の旋回可能接続部分に接続される第１イヤ・カップと、
内側面と外側面を有する第２イヤ・カップであって、前記第２イヤ・カップの外側面上のほぼ中央位置に配置された旋回可能接続部分を含み、前記旋回可能接続部分が、前記バンドの第２端部の旋回可能接続部分に接続される第２イヤ・カップとを備える装置。
【発明の詳細な説明】
【発明の開示】
【０００１】
関連出願の相互参照
本出願は、「Ｅａｒ  Ｃｏｖｅｒｉｎｇ」という名称の係属中の米国仮出願第６０／２５９，１１４号の優先権を主張し、かつそれに関する。この出願の開示は、参照によって本明細書に組み込まれている。
【０００２】
また、本出願は、係属中の米国出願第０９／５２１，２４１号と同第０９／９７８，５９１号にも関する。両出願とも、「Ａｐｐａｒａｔｕｓ  ａｎｄ  Ｍｅｔｈｏｄ  ｆｏｒ  Ｍａｋｉｎｇ  ａｎ  Ｅａｒ  Ｗａｒｍｅｒ  Ｈａｖｉｎｇ  Ｉｎｔｅｒｉｏｒ  Ｓｅａｍｓ」という名称であり、両出願の全開示は、参照によって本明細書に組み込まれている。
【０００３】
発明の背景
本発明は、一般に、耳保護装置に関する。より具体的には、本発明は、調節可能なバンドを有する耳保護装置に関する。
【０００４】
使用者の頭頂部を覆って、または後頭部の回りに装着するイヤ・マフが、一般的に知られている。たとえば、Ｗｉｅｇａｎｄへの米国特許第１，６２８，４８３号は、耳保護具を開示している。耳保護具は、１対の楕円形プレートを含み、各プレートは、内向きに延びる連続フレア・フランジ（continuous flaring flange）で形成される。フランジは、円錐プロファイルを提供する。プレートは、スライド式に接続された弾性アームにより、１つに接続される。耳保護具は、各弾性アームのそれぞれを楕円プレートに結合する歯止め装置またはリベットを含む。弾性アームは、それぞれ、他の重なりあった弾性アームをスライド式に受けるバンドを含む。バンドは、特定の使用者に対して耳保護具を調節することを可能にするために、弾性アームを１つに保持して、２つの弾性アーム間のスライド移動を可能としている。耳保護具は、後頭部の周囲に延びる弾性アームで装着することができる。
【０００５】
しかし、この周知のイヤ・マフは、使用者の頭上の位置を効果的に維持しない。さらに、このイヤ・マフでは、布部材がイヤ・マフのフレーム構造を完全に覆うことが可能ではない。
【０００６】
したがって、使用者の頭上の位置を維持する耳保護装置用フレームが必要である。さらに、耳保護装置のフレームを完全に覆うシェル（布で作成されたものなど）が必要である。
【０００７】
発明の概要
第１湾曲バンド部と第２湾曲バンド部とを備える装置。第１湾曲バンド部は、第１端部と、第２端部と、内部湾曲側面と、外部湾曲側面とを有する。第１湾曲バンド部は、第１湾曲バンド部の第１端部と第２端部の間の通路を画定する。通路は、第１開口を有する。第２湾曲バンド部は、第１端部と、第２端部と、内部湾曲側面と、外部湾曲側面とを有する。運動制約部（a motion-restraint portion）は、第２湾曲バンド部の第１端部に隣接する。第２湾曲バンド部の第１端部は、第１湾曲バンド部の通路の第１開口内に挿入可能である。第１湾曲バンド部は、第２湾曲バンド部の通路の内部に運動領域を有する。
【０００８】
詳細な説明
図１は、本発明の実施形態による、耳保護装置の斜視図である。図１に示したように、耳保護装置１０は、内側面１４と外側面１６とを有する頭部バンド部１２を含む。耳保護装置１０には、第１端部分１８と第２端部分２０も含まれる。第１端部分１８と第２端部分２０は、それぞれの耳部２２に接続される。各耳部２２は、内側面２４と外側面２６を有する。耳保護装置１０は、フリースなど繊維材料で覆われている。頭部バンド部１２は、ギャザー寄せされる（gather）過度の材料によって（by excess material that gathers）覆われることに留意されたい。
【０００９】
図２Ａ〜２Ｄは、それぞれ、本発明の実施形態による第１バンド部の斜視図、側面図、上面図、および前面図を示す。バンド部２００には、第１端部３４と、第２端部３６と、内側面３５と、外側面３７とが含まれる。バンド部２００は、外側面３７に配置され、かつ第１端部３４に隣接した一段高い隆起表面（mounting surface）３８を含む。バンド部２００は、外側面３７に配置され、かつバンド部２００の第２端部に隣接した運動制約部４０をも含む。隆起表面３８と運動制約部４０は、バンド部２００と一体的に形成されるように示されているが、別々に形成して、バンド部２００に取り付けることもできる。代替実施形態では、運動制約部は、移動止め（detent）とすることができ、この移動止めは、移動止めの一側面のみに沿ってバンド部と一体的に形成され、一方残りの側面は、バンド部から分離（または切断）される。
【００１０】
図３Ａ〜３Ｅは、それぞれ、本発明の実施形態による第２バンド部の上部斜視図、底部斜視図、側面図、上面図、および前面図を示す。バンド部２１０には、第１端部４２と、第２端部４４と、内側面４５と、外側面４７とが含まれる。バンド部２１０は、外側面４７に配置され、かつ第２端部４４に隣接した一段高い隆起表面４６を含む。バンド部２１０には、ベース部材２１１と、側面部材２１２と、上方部材（またはフランジ）５０とがさらに含まれる。側面部材２１２は、ベース部材２１１の両側面に沿って接続される。上方部材５０は、側面部材２１２に接続され、ベース部材２１１の上に突出する。
【００１１】
ベース部材２１１と、側面部材２１２と、上方部材５０とは、バンド部２１０に沿った通路を縦方向に画定する。すなわち、ベース部材２１１と、側面部材２１２と、上方部材５０とは、様々な側面上のチャンネルの境界を定め、このチャンネルの中へ、バンド部２００をスライド式に係合することができる。したがって、バンド部２００が、通路２１５を通って移動する際に、バンド部２００の移動は、ベース部材２１１と、側面部材２１２と、上方部材５０とによって制限される。通路２１５は、開口２１６を含み、この開口の中に、初めにバンド部２００を挿入することができる。
【００１２】
図４Ａ〜４Ｄは、それぞれ、本発明の実施形態による２つのバンド部の斜視図、側面図、背面図、および前面図を示す。図４Ａ〜４Ｄに示したように、開口２１６を通してバンド部２００をバンド部２１０の通路に挿入して、調節可能な長さを有するバンドを提供する。より具体的には、バンド部２００の運動制約部４０は、バンド部２１０の通路２１５の開口２１６と係合可能である。バンド部２００が開口２１６を通して挿入された後、運動制約部４０は、開口２１６を画定するバンド部２１０の部分と係合する。これにより、運動制約部４０は、バンド部２００がバンド部２１０の既存の通路２１５から外れることを防止するが可能になる。その結果、バンド部２００がバンド部２１０の通路２１５に挿入された後、バンド部２００は、バンド部２１０の通路２１５内に運動領域（a range of motion）を有する。通路２１５内におけるこの運動領域は、バンド部２１０運動制約部４０の係合によって、開口２１６を有する端部上で限定される。
【００１３】
代替実施形態では、運動制約部は、他の実施形態の通路と取外し式に係合することができる。たとえば、運動制約部は、移動止めとして、移動止めの一側面のみに沿ってバンド部と一体的に形成することができ、一方移動止めの残りの側面は、バンド部から分離（または切断）される。これにより、バンド部を、他方のバンド部の通路の中に取外し式に挿入することが可能になる。すなわち、移動止めを押し下げて、通路の開口から外すことができ、それにより、一方のバンド部を他方のバンド部から取り外すことが可能になる。
【００１４】
他の代替実施形態では、一方のバンド部の運動制約部は、他方のバンド部の通路内において、他の開口と少なくとも部分的に係合することができる。たとえば、運動制約部は、移動止めとすることができ、通路を画定するバンド部の上方部材は、移動止めとわずかに重なり合うように延びることができる。これにより、移動止めは、上方部材によって画定された開口と部分的に係合することが可能になり、それにより、バンド部が運動領域内を移動するとき、摩擦によるわずかな躊躇が生じる。この部分的な係合を克服した後は、バンド部は、運動領域内を移動することができる。
【００１５】
さらに他の代替実施形態では、一方のバンド部の通路を画定する上方部材は、他方のバンド部の移動止めが、上方部材によって画定された開口と取外し式に係合するように、さらに延びることができる。そのような実施形態では、２つのバンド部は、移動止めが通路の開口と取外し式に係合する１つまたは複数の位置を含む運動領域を有することになる。この取外し式係合により、バンド部の位置を他方のバンド部の通路内において一時的にロックすることが可能になる。
【００１６】
さらに他の代替実施形態では、一方のバンド部の通路の移動止め係合可能開口と、他方のバンド部の移動止めとは、それぞれの側面のいずれかの上に配置することができる。たとえば、移動止めは、バンド部の片側または両側に配置することができ、この場合、通路の移動止め係合可能開口は、他方のバンド部の上（すなわち、通路の整合側面上（the matching side）または両側面上）の対応する位置に配置される。代替として、移動止めは、バンド部の内側面上に配置することもでき、この場合、通路の移動止め係合可能開口は、他方のバンド部の内側面上の対応する位置に配置される。さらに他の実施形態では、複数の移動止めをバンド部の異なる位置に配置することができ（すなわち、外側面上の１つの移動止めと内側面上の他の移動止め）、この場合、通路の移動止め係合可能開口は、他方のバンド部上の対応する位置に配置される。
【００１７】
バンド部２００の運動制約部４０が、移動止めとして図２Ａ〜２Ｄに示されているが、他の構成も可能である。たとえば、運動制約部は、リベットとすることができ、リベットは、バンド部が、他方のバンド部の通路に挿入された後、バンド部に結合される。そのようなリベットは、たとえば、バンド部を、他方のバンド部の通路に挿入した後、バンド部に固定式に取り付ける、または取外し式に取り付けることができる。
【００１８】
図５は、本発明の実施形態によるイヤ・カップ部の斜視図である。図５に示したように、イヤ・カップ部５４は、円錐部５６を含み、円錐部は、円錐部５６の側面から延びる移行部５８を有する。移行部５８は、穴６２を含む取り付け部６０と一体的に形成される。
【００１９】
イヤ・カップ部５４は、それぞれ、バンド部２００および２１０の端部に取り付けることができる。すなわち、１つのイヤ・カップ部５４をバンド部２００の隆起表面３８に取り付けることができ、別のイヤ・カップ部５４をバンド部２１０の隆起表面４６に取り付けることができる。イヤ・カップ部５４は、リベット６４など、固定具によってバンド部２００および２１０に取り付けることができる。代替実施形態では、イヤ・カップ部またはバンド部の隆起取付け表面は、対応する対合構造で穴とスナップ式に係合する、一体的に形成されたリベットを含むことができる。バンド部２００および／または２１０、および／またはイヤ・カップ部５４は、本明細書では、集団的に「フレーム」と呼ぶことがあることに留意されたい。
【００２０】
図６Ａは、本発明の実施形態によるシェル膜の上面図を示す。シェル膜には、外部膜３１０と、内部膜３２０と、耳膜３３０および３４０とが含まれる。図６Ｂは、シェルに組み立てられた図６Ａに示したシェル膜の上面図を示す。図６Ｂに示したように、膜３１０、３２０、３３０、および３４０は、１つに構成して、周囲に沿って縫い合わせることができる。組み立てたシェル３００は、２つの開口３５０および３６０を含み、この中に、フレームの部分を挿入することができる。たとえば、イヤ・カップ部５４が取り付けられているバンド部２００を開口３５０に挿入することができ、イヤ・カップ部５４が取り付けられているバンド部２１０を開口３６０に挿入することができる。シェル膜の追加の詳細と変形形態は、「Ｅａｒ  Ｐｒｏｔｅｃｔｉｏｎ  Ｄｅｖｉｃｅ」という名称のＬｅ  Ｇｅｔｔｅらの米国特許第５，８３５，６０９号に記載されており、その開示は、参照によって本明細書に組み込まれている。
【００２１】
シェル３００に挿入した後、バンド部２００および２１０は、異なるサイズの頭を有する使用者による耳保護装置１０の使用、または同じ使用者が耳保護装置１０を頭頂部でまたは頭の回りで延ばしながら使用することに対処するように、調節可能な長さを有することができる。すなわち、バンド部２００および２１０をシェル３００に挿入して、シェル３００の内部で組み立てた後、バンド部２００および２１０の長さは、バンド部２１０の通路２１５内においてバンド部２００を動かすことによって、調節することができる。
【００２２】
いくつかの実施形態では、バンド部は、シェル３００内に配置されている間、互いに分離することができる。たとえば、一方のバンド部の運動制約部が外し可能移動止め（disengageable detent）である場合、移動止めは、他方のバンド部の通路の開口から外すことができ、バンド部は、他方のバンド部の通路から取り外すことができる。次いで、イヤ・カップ部５４が取り付けられているバンド部を、開口３５０を通してシェル３００から取り外すことができ、イヤ・カップ部５４が取り付けられている他方のバンド部を、開口３６０を通してシェル３００から取り外すことができる。
【００２３】
これにより、耳保護装置１０は、交換可能なシェルを有することが可能になる。すなわち、異なるシェルを使用して、同じフレームを覆うことができるが、その理由は、バンド部は、１つのシェルの中に配置されている際に互いに分離して、他のシェルにおいて再び組み立てることができるからである。そのような交換可能シェルは、たとえば、単一フレームと共に使用するために、異なる色またはロゴを有することができる。
【００２４】
図７は、本発明の他の実施形態によるシェル膜の上面図を示す。図７に示したように、シェル４００には、外部膜４１０と内部膜４２０が含まれる。シェル４００を使用して耳保護装置を組み立てるために、外部膜４１０と内部膜４２０は、２つの膜４１０と４２０の間にフレームの構成要素をはさんだ状態で、他方の上に配置することができ、次いで、膜４１０と４２０を周囲に沿って縫い合わせることができる。
【００２５】
図８は、本発明の他の実施形態による組み立てたシェルの上面図を示す。図８に示したように、シェル５００は、内部膜５１０と、外部膜５２０と、弾性膜５３０および５４０（ファントムで示す）とを有する。膜５１０、５２０、５３０、および５４０は、周囲に沿って縫い合わされる。弾性膜５３０および５４０は、内部膜５１０と外部膜５２０の間に配置することができる。弾性膜５３０と５４０は、シェル５００の中央部分に「ギャザー」を形成することができる。弾性膜５３０と５４０は、耳保護装置が開放以外の構成にあるとき、膜５１０および５２０のあらゆる追加の材料をギャザー寄せすることができる。すなわち、膜５１０および５２０は、耳保護装置が開放構成にあるときは、完全に伸張することができ、耳保護装置が閉鎖構成にあるときは、完全伸張ではなくなる。したがって、閉鎖構成にあるとき、弾性膜５３０および５４０は、膜５１０および５２０をギャザー寄せすることができる。
【００２６】
図９は、本発明の他の実施形態によるシェル膜の上面図である。図９に示したように、シェル６００には、外部膜６１０と内部膜６２０が含まれる。外部膜６１０は、端部分６１１および６１２を含む。内部膜６２０は、端部分６２１および６２２を含む。端部分６１１、６１２、６２１、および６２２は、たとえば、弾性材料を含むことができ、組み立てたとき、関連するフレーム部分の上で取り畳むことができる。端部分６１１、６１２、６２１、および６２２の二重重ね構成は、着用者の頭に接するフレームに緩衝作用を提供することができる。弾性材料は、フレームのイヤ・カップ部の周囲に外部膜６１０と内部膜６２０をきつく引っ張ることによって、耳保護装置の外見に影響を与えることができる。すなわち、弾性材料は、関連するフレーム部分の上で引っ張ることができ、それにより、外部膜６１０と内部膜６２０は、縫い目に沿って縫い合わせずに、関連フレーム部分に取外し式に固定される。
【００２７】
図１０は、耳保護装置を組み立てる現行ステップ中に部分的に縫い合わされた図９のシェル膜の上面図である。図１０に示したように、耳保護装置は、周囲６３０の部分を初めに縫い合わせ、周囲６４０および６５０の部分を縫い合わせずにおくことによって、組み立てることができる。フレームの２つのイヤ・カップ部は、それぞれ、それぞれのバンド部に接続することができる。次いで、フレームのイヤ・カップ部が取り付けられている各バンド部を、部分６４０および６５０を通して挿入することによって、シェルの内部に配置することができる。次いで、内部バンド部を外部バンド部の通路の中に取外し式に挿入することができる（たとえば、図４Ａ〜４Ｄを参照して記述したように）。代替実施形態では、シェル６００は、周囲６３０の部分を縫い合わせた後、裏返しにすることができる。
【００２８】
図１１は、本発明の他の実施形態によるシェル膜の上面図を示す。シェル７００には、外部膜７１０と耳膜７２０および７３０が含まれる。外部膜７１０は、中間部分７１５を含み、これは、外部膜７１０の残りの部分と一体的に形成される。耳膜７２０および７３０は、それぞれ、それぞれの耳膜の周囲の部分に取り付けられたそれ自体の弾性膜を有することができる。さらに、外部膜７１０は、外部膜７１０の耳部の周囲に取り付けられたそれ自体の弾性膜を有することができる。弾性膜は、外部膜７１０と耳膜７２０および７３０との両方に上に示されているが、弾性膜が、外部膜のみまたは耳膜のみに配置されている代替実施形態も可能であることに留意されたい。
【００２９】
シェル７００は、耳膜７２０および７３０の縁部分７２１および７３１をそれぞれ外部膜７１０の部分７１１および７１２に取り付けることによって、組み立てることができる。外部膜７１０の中央部分７１５は、外部膜７１０の部分７１６の上で折り畳んで、それに取り付けることができる。これを図１２に示す。この図は、図１１に示したシェル膜を基にして組み立てたシェルの上面図を示す。耳膜７２０および７３０は、随意選択として、外部膜７１０の対応する部分に関して、裏返しにすることができる。その結果、取付け（縫い目など）を外部膜７１０と耳膜７２０および７３０とによって形成された内部に位置させることができる。次いで、フレームを、外部膜７１０と耳膜７２０および７３０とによって形成された内部に挿入することができる。外部膜７１０と耳膜７２０と７３０とに取り付けられた弾性膜は、外部膜７１０と耳膜７２０と７３０との周囲を内向きに引っ張るのに役立つ。これにより、シェル７００の対応する部分は、フレームのイヤ・カップ部の周囲で閉鎖される。図１２には明示していないが、耳保護装置は、フレームの形状に対応した曲率を有することになる。
【００３０】
代替実施形態では、耳膜は、外部膜の部分に取り付ける必要がない。むしろ、外部膜の中央部分を上で折り畳んで取り付けることができる。次いで、フレームを、外部膜と、外部膜の中央部分とによって形成された内部に挿入することができる。最後に、耳膜を、耳膜と外部膜とに取り付けられた弾性膜によって、フレームのイヤ・カップ部の上に配置して、維持することができる。
【００３１】
図１３は、本発明の他の実施形態による、膜の上面図を示す。図１３に示したように、シェル８００には、外部膜８１０と内部膜８２０が含まれる。外部膜８１０と内部膜８２０のバンド部８１１および８２１の長さは、それぞれ、フレームの対応する部分より長い。この余分な長さにより、シェル８００は、部分８１１と８２１のあたりに余分な材料をギャザー寄せすることが可能になる。
【００３２】
さらに、内部膜８２０の耳部８２２および８２３は、方向８２４に沿って、フレームの対応するイヤ・カップ部より長い長さを有することができる。弾性膜は、伸張されている間、耳部８２２および８２３の周囲に取り付けることができる。方向８２４に沿った耳部８２２および８２３のこの余分なサイズと伸張された弾性膜とにより、耳部８２２および８２３を内向きに引っ張ることが可能になる。
【００３３】
図１４は、図１３に示したシェル膜を基にして組み立てたシェルの上面図である。図１４に示したように、外部膜８１０と内部膜８２０は、位置８３０と８３１において共に取り付けることができる。フレームを、外部膜８１０と内部膜８２０の間に確定された内部に挿入することができる。耳部８２２および８２３の弾性膜を内側に引っ張ることにより、フレームが外部膜８１０と内部膜８２０によって形成された内部に挿入されているとき、これらをフレームのイヤ・カップ部の周囲にギャザー寄せすることが可能になる。
【００３４】
図１５は、本発明の他の実施形態によるシェル膜の上面図を示す。図１５に示したように、シェル９００には、耳膜９１０、９２０、９３０、および９４０と、中央膜９５０とが含まれる。中央膜９５０は、管の形状を形成するように折り畳まれたニット管または膜とすることができる。耳膜９１０および９３０は、一緒に取り付けることができ、耳膜９２０および９４０は、一緒に取り付けることができる。縫い合わせるなどによって取り付けた後、これらの取り付けた耳膜を中央膜９５０に取り付けることができる。あるいは、これらの取り付けた耳膜は、裏返しにして、次いで、中央膜９５０に取り付けることができる。あるいは、取り付けた耳膜は、図１１などを参照して上述した追加の弾性膜を含むことができる。図１６は、図１５に示したシェル膜を基にして組み立てたシェルの上面図を示す。
【００３５】
図１７は、本発明の実施形態による２つのバンド部の斜視図を示す。図１７に示したように、バンド部１０００には、第１端部１００１と、第２端部１００２と、内側面１００３と、外側面１００４とが含まれる。バンド部１０００の第１端部１００１は、開口を含む。バンド部１０００の第２端部１００２は、取り付け部１００５を含む。バンド部１０００は、ベース部材１００６と、側面部材１００７と、上方部材１００８とを有する。ベース部材１００６と、側面部材１００７と、上方部材１００８とは、バンド部１０００に沿った通路を縦方向に画定する。通路は、ベース部材１００６と、側面部材１００７と、上方部材１００８とに沿った開口を含む。
【００３６】
バンド部１０１０には、第１端部１０１１と第２端部１０１２が含まれる。バンド部１０１０は、バンド部１０１０の第１端部１０１１の外側面上に、運動制約部１０１３（移動止めとしてファントムで示す）も含む。バンド部１０１０は、第２端部１０１２の上に取り付け部１０１５も含む。
【００３７】
バンド部１０１０は、バンド部１０００の通路の中にスライド式に係合させることができる。バンド部１０１０の運動制約部１０１３は、通路の開口１００９を通して係合させることができる。バンド部１０００は、内向きまたは外向きに容易に屈曲することができるが、その理由は、ベース部材１００６と上方部材１００８の両方が、開口を有するからであることに留意されたい。すなわち、バンド部１０００および１０１０が調節される際に（たとえば、バンド部１０１０が、バンド部１０００の通路内においてスライド式に係合している間）、バンド部１０００のベース部材１００６および上方部材１００８の開口により、これらのバンド部を内向きまたは外向きに容易に屈曲することができる。代替実施形態では、運動制約部は、移動止めの一側面のみに沿って、バンド部と共に一体的に形成することができ、一方移動止めの残りの側面は、バンド部から分離（切断）される。そのような実施形態により、一方のバンド部を、他方のバンド部の通路に対して取外し式およびスライド式に係合させることが可能になる。
【００３８】
他の代替実施形態では、運動制約部は、外し可能移動止めとすることができる。移動止めは、他方のバンド部の通路の開口のいずれとも取外し式に係合可能とすることができる。したがって、移動止めは、他方のバンド部の上方部材の開口に対して、取外し式に係合可能とすることができる。これにより、バンド部を、他のバンド部の通路内にあるバンド部の運動領域内における複数の可能な位置において、一時的にロックすることが可能になる。移動止めをバンド部の外側面上に配置して、それにより、他方のバンド部の上方部材の上にある移動止め係合可能開口に対応することができるが、他の構成も可能であることにも留意されたい。たとえば、移動止めは、バンド部の４つの側面のいずれかの上に配置されることができるが（単独で、または他の側面上の移動止めと組み合わせて）、その理由は、バンド部が、４つの側面上の開口と、ベース部材と、側面部材と、上方部材とを含むからである。
【００３９】
図１８は、本発明の他の実施形態によるフレームの組立図を示す。図１８に示したように、フレーム１１００には、バンド１１１０と、イヤ・カップ部１１２０とが含まれる。単一のイヤ・カップ部１１２０が図１８には示されているが、フレーム１１００は、イヤ・カップ部１１２０と対向する側でバンド１１１０に取り付けられた第２イヤ・カップ部を含むことに留意されたい。
【００４０】
イヤ・カップ部１１２０には、取付け部分１１２１および１１２２と、イヤ・カップ１１２４と、クッションインサート１１２６とが含まれる。クッションインサート１１２６は、たとえばウレタン・フォームなどで作成することができる。クッションインサート１１２６は、接着剤などによって、イヤ・カップ１１２４に取り付けることができる。クッションインサート１１２６は、イヤ・カップ１１２４と使用者の頭との間に緩衝作用を提供することができる。
【００４１】
イヤ・カップ部１１２０の取付け部分１１２１および１１２２は、バンド１１１０に対し、それぞれ、近位および遠位である。バンド１１１０の端部は、取付け部分１１２１および１１２２に挿入されることができ、それにより、バンド１１１０は、摩擦ばめ（friction fit）などによって、イヤ・カップ部１１２０に取り付けられる。そのような摩擦ばめによれば、バンド１１１０をイヤ・カップ部から取り外して、再びイヤ・カップ部に取り付けることが可能になる。
【００４２】
図１９は、本発明の他の実施形態による耳保護装置の組立図を示す。図１９に示したように、耳保護装置１２００には、バンド１２１０と、バンド膜１２２０と、イヤ・カップ部１２３０および１２４０と、イヤ・カップ膜１２５０および１２６０とが含まれる。バンド膜１２２０は、たとえば、弾性パイピング（elastic piping）とすることができ、パイピングの上方側面と下方側面の上にバインディングを有し、これにより、バンド膜１２２０をバンド１２１０の上にはめ込むことが可能になる。バンド１２１０は、たとえば、２つの部分を有する調節可能ばね様バンドとすることができる。バンド１２１０の各端部は、突出ロック部１２１１および１２１２を有することができる。より具体的には、突出ロック部１２１１および１２１２は、有刺形状を有することができる。
【００４３】
イヤ・カップ部１２３０および１２４０は、たとえば、フォームなどの半剛性材料で作成することができる。突出ロック部１２１１および１２１２は、それぞれ、イヤ・カップ部１２３０および１２４０に挿入することができる。突出ロック部１２１１は、例示のために、イヤ・カップ部１２３０の内部にファントムで示されていることに留意されたい。突出ロック部１２１１および１２１２の有刺形状により、突出ロック部１２１１および１２１２をイヤ・カップ部１２３０および１２４０の内部に保持することが可能になる。一実施形態では、突出ロック部１２１１および１２１２は、それぞれ、追加の保持を提供するように、接着剤とともにイヤ・カップ部１２３０および１２４０に挿入することができる。
【００４４】
イヤ・カップ膜１２５０および１２６０は、それぞれ、両側面上に布材料で作成して、それにより内部を形成することができ、その中に、イヤ・カップ部１２３０および１２４０をそれぞれ挿入することができる。すなわち、イヤ・カップ膜１２５０および１２６０は、イヤ・カップ部１２３０および１２４０をそれぞれ中に挿入することができるカバーとすることができる。
【００４５】
図２０は、本発明の他の実施形態による耳保護装置の組立図を示す。図２０に示したように、耳保護装置１３００には、バンド１３１０と、バンド膜１３２０と、イヤ・カップ部１３３０および１３４０と、イヤ・カップ膜１３５０および１３６０とが含まれる。バンド膜１３２０は、たとえば、弾性パイピングとすることができ、パイピングの上方側面と下方側面の上にバインディングを有し、これにより、バンド膜１３２０をバンド１３１０の上にはめ込むことが可能になる。バンド１３１０は、たとえば、２つの部分を有する調節可能なばね様バンドとすることができる。バンド１３１０の各端部は、突出ロック部１３１１および１３１２に結合することができる。より具体的には、突出ロック部１３１１および１３１２は、イヤ・カップ部１３３０および１３４０と玉継手接続でロックするように構成されたボール・コネクタ（a ball connector configured to lock into a ball-joint connection）を有することができる。突出ロック部１３１１および１３１２は、バンド１３１０のクリップ端部に摩擦ばめすることができるポスト構成を有することができる。そのようなポスト−クリップ構成により、イヤ・カップ部１３３０および１３４０は、閉鎖構成にあるとき、バンド１３１０の端部の回りに回転することが可能になる。
【００４６】
イヤ・カップ部１３３０および１３４０は、たとえば、成型プラスチックで作成することができる。イヤ・カップ部１３３０および１３４０は、それぞれ、突出ロック部１３１１および１３１２と接続するように構成された玉継手接続の接合部分を含むことができる。各イヤ・カップ部１３３０および１３４０の接合部分は、突出ロック部１３１１および１３１２に隣接する端部に配置することができる。それにより、突出ロック部１３１１および１３１２は、それぞれ、イヤ・カップ部１３３０および１３４０に取外し式に接続することができる。
【００４７】
イヤ・カップ膜１３５０および１３６０は、それぞれ、たとえば両側面上の布材料で作成して、それにより内部を形成することができ、その中に、イヤ・カップ部１３３０および１３４０をそれぞれ挿入することができる。すなわち、イヤ・カップ膜１３５０および１３６０は、イヤ・カップ部１３３０および１３４０をそれぞれ中に挿入することができるカバーとすることができる。
【００４８】
図２１は、本発明の他の実施形態による耳保護装置の組立図を示す。図２１に示したように、耳保護装置１４４０には、バンド１４１０と、バンド膜１４２０と、イヤ・カップ部１４３０および１４４０と、イヤ・カップ膜１４５０とが含まれる。バンド膜１４２０は、たとえば、弾性パイピングとすることができ、パイピングの上方側面と下方側面の上にバインディングを有し、これにより、バンド膜１４２０をバンド１４１０の上にはめ込むことが可能になる。バンド１４１０は、たとえば、２つの部分を有する調節可能なばね様バンドとすることができる。バンド１４１０の各端部は、突出ロック部１４１１および１４１２に結合することができる。より具体的には、突出ロック部１４１１および１４１２は、それぞれ、イヤ・カップ部１４３０および１４４０内のポストの中へ摩擦ばめによってロックされるように構成されたクランプ・コネクタを有することができる。そのようなヒンジ−ポスト構成により、イヤ・カップ部１４３０および１４４０は、閉鎖構成にあるとき、バンド１４１０の端部の回りに回転することが可能になる。
【００４９】
イヤ・カップ部１４３０および１４４０は、たとえば、成型プラスチックで作成することができる。突出ロック部１４１１および１４１２は、それぞれ、イヤ・カップ部１４３０および１４４０に取外し式に接続することができる。
【００５０】
イヤ・カップ膜１４５０は、たとえば、両側面上に布材料で作成して、それにより内部を形成することができ、その中にイヤ・カップ部１４３０を挿入することができる。すなわち、イヤ・カップ膜１４５０は、イヤ・カップ部１４３０を中に挿入することができるカバーとすることができる。図２１には示されていないが、追加のイヤ・カップ膜を使用して、イヤ・カップ部１４４０を覆うことができることに留意されたい。
【００５１】
図２２は、本発明の他の実施形態による耳保護装置の組立図を示す。図２２に示したように、耳保護装置１５００には、バンド１５１０と、バンド膜１５２０と、イヤ・カップ部１５３０および１５４０と、イヤ・カップ膜１５５０および１５６０とが含まれる。バンド膜１５２０は、たとえば、バンド１５１０を中に挿入することができる布管（cloth tube）とすることができる。バンド膜１５２０は、たとえば、ライクラ（lycra）または同様の弾性材料で作成することができる端部１５２１および１５２２を含むことができる。バンド１５１０は、たとえば、２つの部分を有する調節可能なばね様バンドとすることができる。バンド１５１０の一端は、突出ロック部１５１１を含み、バンド１５１０の他端は、突出ロック部１５１２を含む。より具体的には、突出ロック部１５１１および１５１２は、それぞれ、イヤ・カップ部１５３０および１５４０の穴の中に、スナップばめによってロックされるように構成されたノブを有することができる。そのようなスナップばめ構成により、イヤ・カップ部１５３０および１５４０は、閉鎖構成にあるとき、バンド１５１０の端部の回りに回転することが可能になる。
【００５２】
イヤ・カップ部１５３０および１５４０は、たとえば、成型プラスチックで作成することができる。イヤ・カップ膜１５５０および１５６０は、それぞれ、たとえば、両側面上に布材料で作成して、それにより内部を形成することができ、その中にイヤ・カップ部１５３０および１５４０を挿入することができる。すなわち、イヤ・カップ膜１５５０および１５６０は、イヤ・カップ部１５３０および１５４０を中に挿入することができるカバーとすることができる。
【００５３】
本発明の様々な実施形態について上記で記述してきたが、実施形態は、限定ではなく、端に例示として提示されたことを理解されたい。したがって、本発明の幅と範囲は、上述した実施形態のいずれによっても限定されるべきではなく、以下の請求項とその等価物によってのみ確定されるべきである。
【００５４】
実施形態の以上の記述は、当業者が本発明を作成または使用するができるように提供されている。本発明の実施形態を参照して、本発明を具体的に示し、かつ記述したが、当業者なら、本発明の思想および範囲から逸脱せずに、形態と詳細について様々な変更を実施することが可能であることを理解するであろう。
【００５５】
たとえば、あるフレームの実施形態は、あるシェルの実施形態に挿入されるように記述されているが、他の構成も可能である。上述したフレームの実施形態のいずれも、たとえば米国特許第５，８３５，６０９号と、係属中の米国出願第０９／５２１，２４１号および同第０９／９７８，５９１号とに開示されている他のシェル構成に挿入することができる。係属中の米国出願は、両方とも、「Ａｐｐａｒａｔｕｓ  ａｎｄ  Ｍｅｔｈｏｄ  ｆｏｒ  Ｍａｋｉｎｇ  ａｎ  Ｅａｒ  Ｗａｒｍｅｒ  Ｈａｖｉｎｇ  Ｉｎｔｅｒｉｏｒ  Ｓｅａｍｓ」という名称である。さらに、上述したシェルの実施形態のいずれかを、米国特許第５，８３５，６０９号に記載されているフレームと組み合わせて使用することができる。米国特許第５，８３５，６０９号と係属中の米国出願第０９／５２１，２４１号および第０９／９７８，５９１号の全開示は、参照によって本明細書に組み込まれている。
【図面の簡単な説明】
【００５６】
【図１】本発明の実施形態による、耳保護装置の斜視図である。
【図２Ａ】本発明の実施形態による、第１バンド部の斜視図である。
【図２Ｂ】本発明の実施形態による、第１バンド部の側面図である。
【図２Ｃ】本発明の実施形態による、第１バンド部の上面図である。
【図２Ｄ】本発明の実施形態による、第１バンド部の前面図である。
【図３Ａ】本発明の実施形態による、第２バンド部の上部斜視図である。
【図３Ｂ】本発明の実施形態による、第２バンド部の底部斜視図である。
【図３Ｃ】本発明の実施形態による、第２バンド部の側面図である。
【図３Ｄ】本発明の実施形態による、第２バンド部の上面図である。
【図３Ｅ】本発明の実施形態による、第２バンド部の前面図である。
【図４Ａ】本発明の実施形態による、２つのバンド部の斜視図である。
【図４Ｂ】本発明の実施形態による、２つのバンド部の側面図である。
【図４Ｃ】本発明の実施形態による、２つのバンド部の背面図である。
【図４Ｄ】本発明の実施形態による、２つのバンド部の前面図である。
【図５】本発明の実施形態による、イヤ・カップ部の斜視図である。
【図６Ａ】本発明の実施形態による、シェル膜の上面図である。
【図６Ｂ】シェルに組み立てられている際の、図６に示したシェル膜の上面図である。
【図７】本発明の他の実施形態による、シェル膜の上面図である。
【図８】本発明の他の実施形態による、組み立てたシェルの上面図である。
【図９】本発明の他の実施形態による、シェル膜の上面図である。
【図１０】耳保護装置を組み立てる最中に部分的に縫い合わされた図９のシェル膜の上面図である。
【図１１】本発明の他の実施形態による、シェル膜の上面図である。
【図１２】図１１に示したシェル膜を基にして組み立てられたシェルの上面図である。
【図１３】本発明の他の実施形態による、シェル膜の上面図である。
【図１４】図１３に示したシェル膜を基にして組み立てられたシェルの上面図である。
【図１５】本発明の他の実施形態による、シェル膜の上面図である。
【図１６】図１５に示したシェル膜を基にして組み立てられたシェルの上面図である。
【図１７】本発明の実施形態による、２つのバンド部の斜視図である。
【図１８】本発明の他の実施形態による、フレームの組立図である。
【図１９】本発明の他の実施形態による、耳保護装置の組立図である。
【図２０】本発明の他の実施形態による、耳保護装置の組立図である。
【図２１】本発明の他の実施形態による、耳保護装置の組立図である。
【図２２】本発明の他の実施形態による、耳保護装置の組立図である。
【図２０】
2004520886.tif 000003
【国際公開パンフレット】
2004520886.tif 000004
2004520886.tif 000005
2004520886.tif 000006
2004520886.tif 000007
2004520886.tif 000008
2004520886.tif 000009
2004520886.tif 000010
2004520886.tif 000011
2004520886.tif 000012
2004520886.tif 000013
2004520886.tif 000014
2004520886.tif 000015
2004520886.tif 000016
2004520886.tif 000017
2004520886.tif 000018
2004520886.tif 000019
2004520886.tif 000020
2004520886.tif 000021
2004520886.tif 000022
2004520886.tif 000023
2004520886.tif 000024
2004520886.tif 000025
2004520886.tif 000026
2004520886.tif 000027
2004520886.tif 000028
2004520886.tif 000029
2004520886.tif 000030
2004520886.tif 000031
2004520886.tif 000032
2004520886.tif 000033
2004520886.tif 000034
2004520886.tif 000035
2004520886.tif 000036
2004520886.tif 000037
2004520886.tif 000038
2004520886.tif 000039
2004520886.tif 000040
2004520886.tif 000041
2004520886.tif 000042
2004520886.tif 000043
2004520886.tif 000044
2004520886.tif 000045
2004520886.tif 000046
【国際公開パンフレット（コレクトバージョン）】
2004520886.tif 000047
2004520886.tif 000048
【国際公開パンフレット（コレクトバージョン）】
2004520886.tif 000049
2004520886.tif 000050
2004520886.tif 000051
2004520886.tif 000052
2004520886.tif 000053
2004520886.tif 000054
2004520886.tif 000055
2004520886.tif 000056
2004520886.tif 000057
2004520886.tif 000058
2004520886.tif 000059
2004520886.tif 000060
2004520886.tif 000061
2004520886.tif 000062
2004520886.tif 000063
2004520886.tif 000064
2004520886.tif 000065
2004520886.tif 000066
2004520886.tif 000067
2004520886.tif 000068
2004520886.tif 000069
2004520886.tif 000070
2004520886.tif 000071
2004520886.tif 000072
2004520886.tif 000073
2004520886.tif 000074
2004520886.tif 000075
2004520886.tif 000076
2004520886.tif 000077
2004520886.tif 000078
2004520886.tif 000079
2004520886.tif 000080
2004520886.tif 000081
2004520886.tif 000082
2004520886.tif 000083
2004520886.tif 000084
2004520886.tif 000085
2004520886.tif 000086
2004520886.tif 000087
2004520886.tif 000088
2004520886.tif 000089
2004520886.tif 000090
2004520886.tif 000091
2004520886.tif 000092
【国際調査報告】
2004520886.tif 000093